Podtech/llm-jp-corpus-v4-ja_patent huggingface dataset:
【手続補正書】
【提出日】平成31年1月22日(2019.1.22)
【手続補正１】
【補正対象書類名】特許請求の範囲
【補正対象項目名】全文
【補正方法】変更
【補正の内容】
【特許請求の範囲】
【請求項１】
胸部を有する人型玩具であって、
前記胸部の左右中央部分を形作る中央胸部と、
腕部と、
前記中央胸部及び前記腕部それぞれと連結する側胸部と、
を備え、
前記中央胸部の外面と前記側胸部の外面とで前記胸部としての一体的に連なった外観を形成しており、
前記中央胸部と前記側胸部との連結構造は、前記側胸部が前記人型玩具の前方である前記腕部の突き出し方向へ変位可能な構造を有する、
人型玩具。
【請求項２】
前記連結構造は、前記側胸部における前記突き出し方向の後方側が、前記突き出し方向の前方側よりも外側に変位可能な構造を有する、
請求項１に記載の人型玩具。
【請求項３】
前記連結構造は、前記突き出し方向を含む平面的な動作をするための閉リンク構造を有し、前記閉リンク構造の両端が前記中央胸部に設けられ、中間のリンクによって前記側胸部が前記中央胸部に連結されている、
請求項１または２に記載の人型玩具。
【請求項４】
前記閉リンク構造の前記両端のうちの後方端が所定のスライド方向にスライド自在に構成された、
請求項３に記載の人型玩具。
【請求項５】
前記スライド方向は、前記人型玩具の背面側から見て前方斜め外側に向かう方向に設定されている、
請求項４に記載の人型玩具。
【請求項６】
前記側胸部の変位可能な範囲は、上面視において、前記側胸部が前記中央胸部と横並びの位置を後方限界位置とし、前記突き出し方向へ最も移動した位置を前方限界位置とする範囲である、
請求項１〜５の何れか一項に記載の人型玩具。
【手続補正２】
【補正対象書類名】明細書
【補正対象項目名】０００８
【補正方法】変更
【補正の内容】
【０００８】
本発明は、人型玩具であって、中央胸部と、腕部と、前記中央胸部及び前記腕部それぞれと連結する側胸部と、を備え、前記中央胸部と前記側胸部との連結構造は、前記側胸部が前記人型玩具の前方である前記腕部の突き出し方向へ変位可能な構造を有する、人型玩具である。また、本発明は胸部を有する人型玩具であって、前記胸部の左右中央部分を形作る中央胸部と、腕部と、前記中央胸部及び前記腕部それぞれと連結する側胸部と、を備え、前記中央胸部の外面と前記側胸部の外面とで前記胸部としての一体的に連なった外観を形成しており、前記中央胸部と前記側胸部との連結構造は、前記側胸部が前記人型玩具の前方である前記腕部の突き出し方向へ変位可能な構造を有する、人型玩具である。
【手続補正書】
【提出日】平成31年2月21日(2019.2.21)
【手続補正１】
【補正対象書類名】特許請求の範囲
【補正対象項目名】全文
【補正方法】変更
【補正の内容】
【特許請求の範囲】
【請求項１】
遊技盤に形成された遊技領域を流下する遊技球が入球可能な始動口と、
前記始動口への遊技球の入球に基づいて当否判定を行う当否判定手段と、
前記当否判定の結果に基づいて識別情報を変動表示する識別情報表示手段と、
前記当否判定の結果が大当りであることに基づいて、前記識別情報が変動表示した後に所定の大当り表示態様で停止表示すると、所定量の遊技利益を遊技者に付与可能な大当り遊技を実行する大当り遊技実行手段と、
前記当否判定の結果が小当りであることに基づいて、前記識別情報が変動表示した後に所定の小当り表示態様で停止表示すると、前記大当り遊技よりも少ない量の遊技利益を遊技者に付与可能な小当り遊技を実行する小当り遊技実行手段と、
前記識別情報が変動表示するときの遊技状態を設定可能な遊技状態設定手段と、を備えた遊技機であって、
前記当否判定の結果が前記小当りとなる確率である小当り確率は、前記当否判定の結果が前記大当りとなる確率である大当り確率よりも高い確率とされており、
前記遊技状態設定手段は、前記遊技状態として、少なくとも、
前記識別情報の変動表示時間が所定時間とされる非特定状態と、
前記識別情報の変動表示時間が前記非特定状態よりも短い時間とされることにより、前記非特定状態に比して、前記識別情報の変動表示が高頻度で実行可能となって前記小当り遊技が高頻度で実行可能となる特定状態と、を設定可能である
ことを特徴とする遊技機。
【請求項２】
前記大当り確率が所定の第１確率とされる第１確率状態と、前記大当り確率が前記第１確率よりも高い第２確率とされる第２確率状態と、を有し、
前記遊技状態設定手段は、前記第２確率状態とともに前記特定状態を設定可能である
ことを特徴とする請求項１に記載の遊技機。
【請求項３】
前記始動口として、前記遊技領域のうち左右方向の中央より右側の領域を流下する遊技球が入球可能な特定始動口と、前記右側の領域を流下する遊技球が入球可能であってその入球可能性が変化し得る可変始動口と、を有し、
前記可変始動口への遊技球の入球頻度が異なる遊技状態として、第１遊技状態と、該第１遊技状態よりも前記可変始動口への遊技球の入球頻度が高い第２遊技状態と、を有し、
前記遊技状態設定手段は、前記第１遊技状態とともに前記特定状態を設定可能である
ことを特徴とする請求項１又は２に記載の遊技機。
【手続補正２】
【補正対象書類名】明細書
【補正対象項目名】０００６
【補正方法】変更
【補正の内容】
【０００６】
前述の課題を解決するために、本発明は以下の構成を採用した。
すなわち、
（１）手段１の遊技機は、
遊技盤に形成された遊技領域を流下する遊技球が入球可能な始動口と、
前記始動口への遊技球の入球に基づいて当否判定を行う当否判定手段と、
前記当否判定の結果に基づいて識別情報を変動表示する識別情報表示手段と、
前記当否判定の結果が大当りであることに基づいて、前記識別情報が変動表示した後に所定の大当り表示態様で停止表示すると、所定量の遊技利益を遊技者に付与可能な大当り遊技を実行する大当り遊技実行手段と、
前記当否判定の結果が小当りであることに基づいて、前記識別情報が変動表示した後に所定の小当り表示態様で停止表示すると、前記大当り遊技よりも少ない量の遊技利益を遊技者に付与可能な小当り遊技を実行する小当り遊技実行手段と、
前記識別情報が変動表示するときの遊技状態を設定可能な遊技状態設定手段と、を備えた遊技機であって、
前記当否判定の結果が前記小当りとなる確率である小当り確率は、前記当否判定の結果が前記大当りとなる確率である大当り確率よりも高い確率とされており、
前記遊技状態設定手段は、前記遊技状態として、少なくとも、
前記識別情報の変動表示時間が所定時間とされる非特定状態と、
前記識別情報の変動表示時間が前記非特定状態よりも短い時間とされることにより、前記非特定状態に比して、前記識別情報の変動表示が高頻度で実行可能となって前記小当り遊技が高頻度で実行可能となる特定状態と、を設定可能である
ことを特徴としている。
（２）手段２の遊技機は、上記手段１の遊技機において、
前記大当り確率が所定の第１確率とされる第１確率状態と、前記大当り確率が前記第１確率よりも高い第２確率とされる第２確率状態と、を有し、
前記遊技状態設定手段は、前記第２確率状態とともに前記特定状態を設定可能である
ことを特徴としている。
（３）手段３の遊技機は、上記手段１又は２の遊技機において、
前記始動口として、前記遊技領域のうち左右方向の中央より右側の領域を流下する遊技球が入球可能な特定始動口と、前記右側の領域を流下する遊技球が入球可能であってその入球可能性が変化し得る可変始動口と、を有し、
前記可変始動口への遊技球の入球頻度が異なる遊技状態として、第１遊技状態と、該第１遊技状態よりも前記可変始動口への遊技球の入球頻度が高い第２遊技状態と、を有し、
前記遊技状態設定手段は、前記第１遊技状態とともに前記特定状態を設定可能である
ことを特徴としている。
【手続補正書】
【提出日】平成30年11月21日(2018.11.21)
【手続補正１】
【補正対象書類名】特許請求の範囲
【補正対象項目名】全文
【補正方法】変更
【補正の内容】
【特許請求の範囲】
【請求項１】
ゲームを実行可能であり、前記ゲームの結果が所定の結果となった場合に遊技者に有利な特別遊技状態を発生可能な遊技機において、
遊技領域に設けられ、条件なく遊技球が入賞可能な複数の入賞領域と、
前記遊技領域に設けられ、所定の作動条件が成立することによって作動して遊技球が入賞可能となる変動入賞装置と、
遊技球が前記入賞領域又は前記変動入賞装置に入賞すると、各入賞領域と前記変動入賞装置ごとに定められた賞球数の賞球を払い出し可能な払出制御手段と、
前記遊技領域から排出された遊技球の数をカウントするカウント手段と、
前記カウント手段によってカウントされた遊技球のうち所定の条件を満たす遊技球の数に対する、当該所定の条件を満たす遊技球によって得られた賞球数の割合を表示可能な表示手段と、
前記カウント手段によってカウントされた遊技球の数が所定個数となるタイミングで各入賞領域と前記変動入賞装置のうちいずれか複数に同時に前記所定の条件を満たす遊技球による入賞があった場合に、各入賞領域と前記変動入賞装置に対して定められた優先順位に基づいて、当該複数の入賞のうちの一つの入賞によって得られた賞球数を加算して賞球数の合計を算出する算出手段と、を備え、
前記表示手段は、複数の発光部により構成される複数の発光表示部を備え、
前記複数の発光表示部は、ダイナミック制御により各発光表示部が順次切り替えられて発光するように制御されることを特徴とする遊技機。
【請求項２】
ゲームを実行可能であり、前記ゲームの結果が所定の結果となった場合に遊技者に有利な特別遊技状態を発生可能な遊技機において、
遊技領域に設けられ、条件なく遊技球が入賞可能な複数の入賞領域と、
前記遊技領域に設けられ、所定の作動条件が成立することによって作動して遊技球が入賞可能となる変動入賞装置と、
遊技球が前記入賞領域又は前記変動入賞装置に入賞すると、各入賞領域と前記変動入賞装置ごとに定められた賞球数の賞球を払い出し可能な払出制御手段と、
前記遊技領域に発射された遊技球の数をカウントするカウント手段と、
前記カウント手段によってカウントされた遊技球のうち所定の条件を満たす遊技球の数に対する、当該所定の条件を満たす遊技球によって得られた賞球数の割合を表示可能な表示手段と、
前記カウント手段によってカウントされた遊技球の数が所定個数となるタイミングで各入賞領域と前記変動入賞装置のうちいずれか複数に同時に前記所定の条件を満たす遊技球による入賞があった場合に、各入賞領域と前記変動入賞装置に対して定められた優先順位に基づいて、当該複数の入賞のうちの一つの入賞によって得られた賞球数を加算して賞球数の合計を算出する算出手段と、を備え、
前記表示手段は、複数の発光部により構成される複数の発光表示部を備え、
前記複数の発光表示部は、ダイナミック制御により各発光表示部が順次切り替えられて発光するように制御されることを特徴とする遊技機。
【請求項３】
前記特別遊技状態の他に特定遊技状態を発生可能であり、
前記算出手段は、
前記特定遊技状態が発生したか否かに応じて前記優先順位を変更可能であることを特徴とする請求項１又は請求項２に記載の遊技機。
【手続補正２】
【補正対象書類名】明細書
【補正対象項目名】０００４
【補正方法】変更
【補正の内容】
【０００４】
しかしながら、従来の遊技機では遊技状況を数値化して明示するものではなかった。
【手続補正３】
【補正対象書類名】明細書
【補正対象項目名】０００５
【補正方法】変更
【補正の内容】
【０００５】
本発明は、遊技機において、遊技状況を数値化して明示することにより、状況を把握しやすくすることを目的とする。
【手続補正４】
【補正対象書類名】明細書
【補正対象項目名】０００６
【補正方法】変更
【補正の内容】
【０００６】
本発明の代表的な一形態では、ゲームを実行可能であり、前記ゲームの結果が所定の結果となった場合に遊技者に有利な特別遊技状態を発生可能な遊技機において、遊技領域に設けられ、条件なく遊技球が入賞可能な複数の入賞領域と、前記遊技領域に設けられ、所定の作動条件が成立することによって作動して遊技球が入賞可能となる変動入賞装置と、遊技球が前記入賞領域又は前記変動入賞装置に入賞すると、各入賞領域と前記変動入賞装置ごとに定められた賞球数の賞球を払い出し可能な払出制御手段と、前記遊技領域から排出された遊技球の数をカウントするカウント手段と、前記カウント手段によってカウントされた遊技球のうち所定の条件を満たす遊技球の数に対する、当該所定の条件を満たす遊技球によって得られた賞球数の割合を表示可能な表示手段と、前記カウント手段によってカウントされた遊技球の数が所定個数となるタイミングで各入賞領域と前記変動入賞装置のうちいずれか複数に同時に前記所定の条件を満たす遊技球による入賞があった場合に、各入賞領域と前記変動入賞装置に対して定められた優先順位に基づいて、当該複数の入賞のうちの一つの入賞によって得られた賞球数を加算して賞球数の合計を算出する算出手段と、を備え、前記表示手段は、複数の発光部により構成される複数の発光表示部を備え、前記複数の発光表示部は、ダイナミック制御により各発光表示部が順次切り替えられて発光するように制御されることを特徴とする。
【手続補正５】
【補正対象書類名】明細書
【補正対象項目名】０００７
【補正方法】変更
【補正の内容】
【０００７】
本発明の一形態によれば、遊技状況を把握しやすくすることができる。
【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
遊技媒体を用いて遊技を行う遊技機であって、
当該遊技機の前面側を構成する前扉を備え、
前記前扉は、
遊技領域に対応する位置に設けられる窓部と、
前記窓部よりも外側の位置に設けられる周辺装飾手段と、を備えており、
前記周辺装飾手段は、
所定の通常姿勢と、該通常姿勢よりも前傾する前傾姿勢とに変化し得る可動部と、
前記可動部に設けられ、遊技者により操作可能な押しスイッチ部と、を有し、
前記押しスイッチ部は、前記可動部が前記通常姿勢から前記前傾姿勢になる際に、前記可動部と共に移動する
することを特徴とする遊技機。
【手続補正２】
【補正対象書類名】明細書
【補正対象項目名】０００６
【補正方法】変更
【補正の内容】
【０００６】
上記の目的を達成するため本発明は、
遊技媒体を用いて遊技を行う遊技機であって、
当該遊技機の前面側を構成する前扉を備え、
前記前扉は、
遊技領域に対応する位置に設けられる窓部と、
前記窓部よりも外側の位置に設けられる周辺装飾手段と、を備えており、
前記周辺装飾手段は、
所定の通常姿勢と、該通常姿勢よりも前傾する前傾姿勢とに変化し得る可動部と、
前記可動部に設けられ、遊技者により操作可能な押しスイッチ部と、を有し、
前記押しスイッチ部は、前記可動部が前記通常姿勢から前記前傾姿勢になる際に、前記可動部と共に移動する
ことを特徴とする。
また、本発明とは別の発明として、以下の遊技機を参考的に開示する。
前面側を構成する前面部材を備え、遊技媒体を用いて遊技を行う遊技機であって、
前記前面部材は、
遊技領域に対応する位置に設けられる窓部と、
前記窓部の少なくとも上方及び側方を装飾する周辺装飾部と、を備えており、
前記周辺装飾部は、前記窓部より外側の所定位置に揺動中心部を有しており、該揺動中心部を軸にして、略垂直に起立する起立姿勢と、前記起立姿勢に比べて遊技者側に向けて前傾する傾倒姿勢と、に変化し得る遊技機。
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
外周面に複数種類の図柄が配置された複数の回胴と、
遊技毎に役を内部抽選する役抽選手段と、
遊技毎に複数の回胴を回転させ、各々の回胴に対応して設けられた停止スイッチの操作を受け付けて、対応する回胴を個々に停止させ、前記内部抽選の結果に応じて図柄を表示する図柄表示制御手段と、
前記遊技には通常遊技と該通常遊技より有利な有利遊技があり、該遊技の総数と該有利遊技の総数との遊技比率を表示可能な表示手段と、
前記遊技の総数と非有利遊技の総数とを記憶する記憶手段と、
前記遊技比率として、（前記遊技の総数）分の（前記遊技の総数−非有利遊技の総数）×１００を算出する算出手段と、
操作手段が有効に操作されると、前記表示手段に前記遊技比率を表示させる為の制御を行う表示制御手段と、
を具備し、
前記表示制御手段は、前記操作手段が有効に操作されると、前記遊技の総数と閾値を用いて表示条件が成立しているか否かを判断し、前記表示条件が成立していれば前記遊技比率を表示する一方、前記表示条件が成立していなければ前記遊技比率を表示しないと共に、前記表示条件が成立している状態には、少なくとも第一成立状態、第二成立状態、第三成立状態があり、第一成立状態と第二成立状態では前記遊技比率を異なった速度で点滅表示し、第三成立状態では前記遊技比率を点灯表示すること、
を特徴とする遊技機。
【手続補正２】
【補正対象書類名】明細書
【補正対象項目名】００２０
【補正方法】変更
【補正の内容】
【００２０】
請求項１に係る本発明の遊技機は、上記の目的を達成する為に、外周面に複数種類の図柄が配置された複数の回胴と、遊技毎に役を内部抽選する役抽選手段と、遊技毎に複数の回胴を回転させ、各々の回胴に対応して設けられた停止スイッチの操作を受け付けて、対応する回胴を個々に停止させ、前記内部抽選の結果に応じて図柄を表示する図柄表示制御手段と、前記遊技には通常遊技と該通常遊技より有利な有利遊技があり、該遊技の総数と該有利遊技の総数との遊技比率を表示可能な表示手段と、前記遊技の総数と非有利遊技の総数とを記憶する記憶手段と、前記遊技比率として、（前記遊技の総数）分の（前記遊技の総数−非有利遊技の総数）×１００を算出する算出手段と、操作手段が有効に操作されると、前記表示手段に前記遊技比率を表示させる為の制御を行う表示制御手段と、を具備し、前記表示制御手段は、前記操作手段が有効に操作されると、前記遊技の総数と閾値を用いて表示条件が成立しているか否かを判断し、前記表示条件が成立していれば前記遊技比率を表示する一方、前記表示条件が成立していなければ前記遊技比率を表示しないと共に、前記表示条件が成立している状態には、少なくとも第一成立状態、第二成立状態、第三成立状態があり、第一成立状態と第二成立状態では前記遊技比率を異なった速度で点滅表示し、第三成立状態では前記遊技比率を点灯表示することを特徴とする。
【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
植物に含まれる水分量を観察する水分量観察装置であって、
光学走査により、水分に吸収され難い特性を有する第１波長の近赤外レーザ参照光を、前記植物の水分量算出対象部位を含む予め設定された照射範囲に向けて照射する第１光源と、
前記光学走査により、水分に吸収され易い特性を有する第２波長の近赤外レーザ測定光を前記照射範囲に向けて照射する第２光源と、
一定の測定期間において、前記照射範囲の各照射位置において反射された前記近赤外レーザ参照光の反射光と前記照射範囲の各照射位置において反射された前記近赤外レーザ測定光の反射光とを基に、前記植物の水分量算出対象部位における水分量を繰り返し算出する水分量算出部と、
前記植物の周囲の環境条件を制御する環境制御装置と接続され、前記水分量算出部により算出された前記植物の水分量算出対象部位における水分量の増減の推移を基に、前記環境条件の変更又は維持を前記環境制御装置に指示する制御部と、を備える、
水分量観察装置。 
【請求項２】
請求項１に記載の水分量観察装置であって、
前記水分量の閾値を保持する閾値保持部、を更に備え、
前記水分量算出部は、前記各照射位置の水分量をそれぞれ算出するとともに、算出した前記各照射位置の水分量のうち前記閾値以上となる照射位置の水分量を加算する、
水分量観察装置。
【請求項３】
請求項１又は２に記載の水分量観察装置であって、
前記制御部は、前記水分量算出部により算出された、前記測定期間の開始時から終了時までの前記植物に含まれる水分量の増減の推移を表示部に対して時系列的に表示する、
水分量観察装置。
【請求項４】
請求項１〜３のうちいずれか一項に記載の水分量観察装置であって、
前記環境条件は、前記植物の周囲の温度であり、
前記制御部は、前記植物の周囲の温度を上げる又は下げる旨の変更指示を前記環境制御装置に送信する、
水分量観察装置。
【請求項５】
請求項１〜３のうちいずれか一項に記載の水分量観察装置であって、
前記環境条件は、前記植物の周囲の湿度であり、
前記制御部は、前記植物の周囲の湿度を上げる又は下げる旨の変更指示を前記環境制御装置に送信する、
水分量観察装置。
【請求項６】
請求項１〜３のうちいずれか一項に記載の水分量観察装置であって、
前記環境条件は、前記植物の周囲の温度及び湿度であり、
前記制御部は、前記植物の周囲の温度を上げかつ前記植物の周囲の湿度を下げる旨の変更指示、又は前記植物の周囲の温度を下げかつ前記植物の周囲の湿度を上げる旨の変更指示を前記環境制御装置に送信する、
水分量観察装置。
【請求項７】
請求項１〜３のうちいずれか一項に記載の水分量観察装置であって、
前記制御部は、前記環境条件を変更しない旨の維持指示を前記環境制御装置に送信する、 
水分量観察装置。
【請求項８】
請求項１〜７のいずれかに記載の水分量観察装置であって、
前記植物の水分量算出対象部位には、前記第１光源及び前記第２光源から見て、前記植物の背面を覆う背景物が配置される、
水分量観察装置。
【請求項９】
請求項１〜８のいずれかに記載の水分量観察装置と、
前記測定期間のうち一部の期間において前記水分量算出部により算出された前記水分量の時系列の推移に基づいて、所定量の水分を前記植物に灌水する栽培制御部と、を備える、
栽培装置。
【請求項１０】
植物に含まれる水分量を観察する水分量観察装置における水分量観察方法であって、
第１光源が、光学走査により、水分に吸収され難い特性を有する第１波長の近赤外レーザ参照光を、前記植物の水分量算出対象部位を含む予め設定された照射範囲に向けて照射し、
第２光源が、前記光学走査により、水分に吸収され易い特性を有する第２波長の近赤外レーザ測定光を前記照射範囲に向けて照射し、
一定の測定期間において、前記照射範囲の各照射位置において反射された前記近赤外レーザ参照光の反射光と前記照射範囲の各照射位置において反射された前記近赤外レーザ測定光の反射光とを基に、前記植物の水分量算出対象部位における水分量を繰り返し算出し、
前記植物の周囲の環境条件を制御する環境制御装置と接続し、
算出された前記植物の水分量算出対象部位における水分量の増減の推移を基に、前記環境条件の変更又は維持を前記環境制御装置に指示する、
水分量観察方法。
【手続補正２】
【補正対象書類名】明細書
【補正対象項目名】００１０
【補正方法】変更
【補正の内容】
【００１０】
本発明は、植物に含まれる水分量を観察する水分量観察装置であって、光学走査により、水分に吸収され難い特性を有する第１波長の近赤外レーザ参照光を、前記植物の水分量算出対象部位を含む予め設定された照射範囲に向けて照射する第１光源と、前記光学走査により、水分に吸収され易い特性を有する第２波長の近赤外レーザ測定光を前記照射範囲に向けて照射する第２光源と、一定の測定期間において、前記照射範囲の各照射位置において反射された前記近赤外レーザ参照光の反射光と前記照射範囲の各照射位置において反射された前記近赤外レーザ測定光の反射光とを基に、前記植物の水分量算出対象部位におけるに含まれる水分量を繰り返し算出する水分量算出部と、前記植物の周囲の環境条件を制御する環境制御装置と接続され、前記水分量算出部により算出された前記植物の水分量算出対象部位におけるに含まれる水分量の増減の推移を基に、前記環境条件の変更又は維持を前記環境制御装置に指示する制御部と、を備える、水分量観察装置を提供する。
【手続補正３】
【補正対象書類名】明細書
【補正対象項目名】００１２
【補正方法】変更
【補正の内容】
【００１２】
また、本発明は、植物に含まれる水分量を観察する水分量観察装置における水分量観察方法であって、第１光源が、光学走査により、水分に吸収され難い特性を有する第１波長の近赤外レーザ参照光を、前記植物の水分量算出対象部位を含む予め設定された照射範囲に向けて照射し、第２光源が、前記光学走査により、水分に吸収され易い特性を有する第２波長の近赤外レーザ測定光を前記照射範囲に向けて照射し、一定の測定期間において、前記照射範囲の各照射位置において反射された前記近赤外レーザ参照光の反射光と前記照射範囲の各照射位置において反射された前記近赤外レーザ測定光の反射光とを基に、前記植物の水分量算出対象部位における水分量を繰り返し算出し、前記植物の周囲の環境条件を制御する環境制御装置と接続し、算出された前記植物の水分量算出対象部位における水分量の増減の推移を基に、前記環境条件の変更又は維持を前記環境制御装置に指示する、水分量観察方法を提供する。
【誤訳訂正書】
【提出日】令和1年8月16日(2019.8.16)
【誤訳訂正１】
【訂正対象書類名】明細書
【訂正対象項目名】００２１
【訂正方法】変更
【訂正の内容】
【００２１】
本明細書に開示される僧帽弁接合強化用補綴デバイスは本来の僧帽弁輪より小さいため、拡張期に該デバイスの内側および側面を通り抜ける血液によって心室が満たされ、左心房と左心室との間の勾配が最小限に抑えられる。
【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
使用者に装着され、少なくとも使用者の背面側から肩部を通って正面側に延びるベルトの背面側で上下方向に沿って配置される人工筋肉部と、
前記人工筋肉部の上端部と前記ベルトとを連結し、または連結を解除する第１連結部と、
前記人工筋肉部の下端部に連結し、または連結を解除する第２連結部と、を備え、
前記人工筋肉部は、前記第１連結部および前記第２連結部と前記ベルトとの連結を解除することで前記ベルトから取り外し可能であることを特徴とする動作補助装置。
【請求項２】
前記人工筋肉部に接続され、前記人工筋肉部に供給する空気を貯めるエアタンクと、
前記人工筋肉部および前記エアタンクを接続する接続路に設けられ、前記エアタンクからの空気の供給および前記人工筋肉部の排気を制御する制御部と、
前記制御部を保持し、前記ベルトの使用者に取り付ける保持部と、を備え、
前記人工筋肉部は、前記エアタンクからの空気の供給によって縮まり、空気を排出する際に大気圧以上の空気圧の空気を貯めた状態にすることが可能であり、
前記制御部および前記エアタンクは、前記人工筋肉部から取り外し可能であることを特徴とする請求項１に記載の動作補助装置。
【請求項３】
前記人工筋肉部の下端部と前記第２連結部との上下方向の間隔を調整する長さ調整機構をさらに備えることを特徴とする請求項１または２に記載の動作補助装置。
【請求項４】
使用者の膝に取り付けられる膝保持具と、
前記膝保持具を前記人工筋肉部の下端部に前記第２連結部を介して接続する下肢ベルトと、を備えることを特徴とする請求項１から３のいずれかに記載の動作補助装置。
【請求項５】
前記人工筋肉部は、一対設けられ、
一対の前記人工筋肉部の上端部は、一対の前記第１連結部により、使用者の両方の肩部をそれぞれ通る一対のベルト肩部にそれぞれ連結されることを特徴とする請求項１から４のいずれかに記載の動作補助装置。
【請求項６】
前記第２連結部は、
前記人工筋肉部の下端部に接続するベースと、
前記ベースに設けられ、前記ベルトに巻回して取り付け可能な巻回部材と、を有することを特徴とする請求項１から５のいずれかに記載の動作補助装置。
【請求項７】
使用者の上半身に装着される衣服と、
前記衣服に一体に結合され、背面側から正面側に亘って配設されるベルトと、
前記衣服の背面側に上下方向に沿って配置され、空気の供給により縮まって前記ベルトを引く人工筋肉部と、
前記衣服の背面側に設けられ、前記人工筋肉部の上端部と前記ベルトとを連結し、または連結を解除する第１連結部と、
前記衣服の背面側で前記第１連結部より下方に設けられ、前記人工筋肉部の下端部に連結し、または連結を解除する第２連結部と、
前記人工筋肉部に接続され、前記人工筋肉部に供給する空気を貯めるエアタンクと、
前記人工筋肉部の下端部および前記エアタンクを接続する接続路に設けられ、前記エアタンクからの空気の供給および前記人工筋肉部の排気を制御する制御部と、
前記制御部に指示信号を送るスイッチと、を備え、
前記人工筋肉部は、前記第１連結部および前記第２連結部の連結を解除することで前記衣服から取り外し可能であることを特徴とする動作補助スーツ。
【請求項８】
前記ベルトは、
前記第１連結部に連結し、前記衣服の肩部を通って正面側に延在する第１ベルトと、
腰周りの位置に周状に配置され、背面側で前記第２連結部に連結する第２ベルトと、を有することを特徴とする請求項７に記載の動作補助スーツ。
【請求項９】
前記第１ベルトは、
背面側の前記第１連結部から前記衣服の肩部を通って正面側に延在するベルト肩部と、
前記ベルト肩部に連結し、胸の位置で周状に配置されるベルト胸囲部と、を有することを特徴とする請求項８に記載の動作補助スーツ。
【請求項１０】
前記第２ベルトにスライド可能に連結され、前記エアタンクを保持するホルダーを備えることを特徴とする請求項９に記載の動作補助スーツ。
【請求項１１】
使用者の膝に取り付けられる膝保持具と、
前記人工筋肉部の下端部に連結し、または連結を解除する第３連結部と、
前記第３連結部に連結する下肢ベルトと、を備えることを特徴とする請求項１０に記載の動作補助スーツ。
【請求項１２】
前記下肢ベルトは、
伸縮性を有するゴム部材と、
前記ゴム部材より伸縮性が低く、前記ゴム部材の自由長より長い規制部材と、を有し、
前記ゴム部材と前記規制部材が前記下肢ベルトに２重に設けられることを特徴とする請求項１１に記載の動作補助スーツ。
【請求項１３】
前記制御部は、前記スイッチの操作に応じて前記人工筋肉部に供給する空気の圧力を調整可能であることを特徴とする請求項７から１２のいずれかに記載の動作補助スーツ。
【請求項１４】
前記人工筋肉部から排出される空気を貯める回生用エアタンクをさらに備え、
前記制御部は、前記人工筋肉部を縮める際に、前記回生用エアタンクから前記人工筋肉部に空気の供給をさせ、前記エアタンクから前記人工筋肉部に空気の供給をさせることを特徴とする請求項７に記載の動作補助スーツ。
【請求項１５】
充填された前記エアタンクより空気圧が低い空気を貯める予備エアタンクと、
前記予備エアタンクに空気を供給するコンプレッサーと、をさらに備え、
前記制御部は、前記人工筋肉部を縮める際に、前記予備エアタンクから前記人工筋肉部に空気の供給をさせ、前記エアタンクから前記人工筋肉部に空気の供給をさせることを特徴とする請求項７に記載の動作補助スーツ。
【手続補正書】
【提出日】平成31年2月26日(2019.2.26)
【手続補正１】
【補正対象書類名】特許請求の範囲
【補正対象項目名】全文
【補正方法】変更
【補正の内容】
【特許請求の範囲】
【請求項１】
複数のオブジェクトを表示する表示画面を有する表示部と前記複数のオブジェクトを指定する入力部とを備えるゲーム装置の制御プログラムであって、
前記表示画面に表示された前記複数のオブジェクトのうちの所定数以内のオブジェクトを自動的に指定する自動指定モードによりゲームを進行させ、
前記自動指定モードにおいて、プレイヤの入力を検知し、
前記プレイヤによる入力が検知された場合、前記自動指定モードから、前記表示画面に表示された前記複数のオブジェクトを前記プレイヤによる入力に応じて指定する手動指定モードに切り替え、
前記手動指定モードにより前記ゲームを進行させ、
前記ゲームの進行結果に応じて前記所定数を変更する、
ことを前記ゲーム装置に実行させることを特徴とする制御プログラム。
【請求項２】
前記ゲーム装置は、前記複数のオブジェクトのそれぞれに、属性を関連付けて記憶する記憶部を有し、
前記手動指定モードにおいて、前記入力部を介して入力された表示画面における前記プレイヤの指示位置と重畳して前記表示画面に表示された複数のオブジェクトのうち、所定の条件を満たす２以上のオブジェクトを指定することを前記ゲーム装置に実行させる、請求項１に記載の制御プログラム。
【請求項３】
前記自動指定モードにおいて、前記表示画面に表示された前記複数のオブジェクトのうち、最も多い属性以外の属性に関連付けられたオブジェクトを特定し、前記特定されたオブジェクトのうち、同じ属性に関連付けられたオブジェクトを所定数以下だけ指定することを前記ゲーム装置に実行させる、請求項２に記載の制御プログラム。
【請求項４】
前記記憶部は、複数種類の前記所定数を記憶し、
前記自動指定モードにおいて自動的に指定されるオブジェクトは、前記複数種類の所定数の中から前記プレイヤによって選択された所定数以内である、請求項２又は３に記載の制御プログラム。
【請求項５】
前記記憶部は、複数の自動指定ルールを記憶し、
前記自動指定モードにおいて、前記複数の自動指定ルールのうちのいずれかの自動指定ルールに従って前記オブジェクトを自動的に指定することを前記ゲーム装置に実行させる、請求項２〜４のいずれか一項に記載の制御プログラム。
【請求項６】
前記複数の自動指定ルールのそれぞれに対応する自動指定キャラクタを前記記憶部に記憶し、
前記プレイヤによって選択された自動指定キャラクタを前記表示部の表示画面に表示し、
前記自動指定モードにおいて、前記選択された自動指定キャラクタに対応する自動指定ルールに従って前記オブジェクトを自動的に指定することを前記ゲーム装置に実行させる、請求項５に記載の制御プログラム。
【請求項７】
前記自動指定キャラクタを、対応する自動指定ルールとともに前記プレイヤに関連付けて前記記憶部に記憶し、
前記プレイヤからの指示に応じて、前記プレイヤに関連付けられた前記自動指定キャラクタ及び自動指定ルールを他のプレイヤに関連付けて前記記憶部に記憶することを前記ゲーム装置に実行させる、請求項６に記載の制御プログラム。
【請求項８】
複数のオブジェクトを表示する表示画面を有する表示部と前記複数のオブジェクトを指定する入力部とを備えるゲーム装置の制御方法であって、
前記表示画面に表示された前記複数のオブジェクトのうちの所定数以内のオブジェクトを自動的に指定する自動指定モードによりゲームを進行させ、
前記自動指定モードにおいて、プレイヤの入力を検知し、
前記プレイヤによる入力が検知された場合、前記自動指定モードから、前記表示画面に表示された前記複数のオブジェクトを前記プレイヤによる入力に応じて指定する手動指定モードに切り替え、
前記手動指定モードにより前記ゲームを進行させ、
前記ゲームの進行結果に応じて前記所定数を変更する、
ことを含むことを特徴とする制御方法。
【請求項９】
複数のオブジェクトを表示する表示画面を有する表示部と前記複数のオブジェクトを指定する入力部とを備える情報処理装置であって、
前記表示画面に表示された前記複数のオブジェクトのうちの所定数以内のオブジェクトを自動的に指定する自動指定モードによりゲームを進行させ、
前記自動指定モードにおいて、プレイヤの入力を検知し、
前記プレイヤによる入力が検知された場合、前記自動指定モードから、前記表示画面に表示された前記複数のオブジェクトを前記プレイヤによる入力に応じて指定する手動指定モードに切り替え、
前記手動指定モードにより前記ゲームを進行させる、処理部を有し、
前記処理部は、前記ゲームの進行結果に応じて前記所定数を変更する、
ことを特徴とする情報処理装置。
【手続補正書】
【提出日】令和1年10月3日(2019.10.3)
【手続補正１】
【補正対象書類名】特許請求の範囲
【補正対象項目名】全文
【補正方法】変更
【補正の内容】
【特許請求の範囲】
【請求項１】
潤滑油添加剤濃縮物であって、(i) ポリアミンと、1,300〜2,500ダルトンの数平均分子量(Mn)および少なくとも50％の末端ビニリデン含有率を持つポリブテンおよびマレイン酸無水物から、エンマレイン酸処理工程を通して誘導されるポリブテニル琥珀酸無水物(PIBSA)とのポリブテニルスクシンイミド反応生成物である分散剤；(ii) ASTM D2896で測定された活性物質ベースで300〜900mg KOH/gという全塩基価(TBN)を持つ過塩基化マグネシウムコロイド状洗浄剤；およびC14〜C24炭化水素のヒドロキシアルキルアルキルアミンの少なくとも1種、C13〜C24炭化水素のヒドロキシアルキルアルキルエーテルアミンの少なくとも1種、C13〜C24ヒドロカルビル置換基を持つトリエタノールアミン由来のアルキルエステルアミンの少なくとも1種、非塩基性脂肪酸アミドの少なくとも1種、及びこれらの混合物から選択される有機摩擦調整剤(iii)を含有し、該濃縮物における分散剤(i)および過塩基化マグネシウムコロイド状洗浄剤(ii)の総計質量％が、15〜50質量％であり；(i):(ii)の質量比が、1:1〜6:1であり；かつ該濃縮物が、2質量％〜10質量％の有機摩擦調整剤(iii)を含み、該濃縮物の残部が、ベースオイルおよび分散剤(i)、過塩基化マグネシウムコロイド状洗浄剤(ii)および有機摩擦調整剤(iii)以外の添加剤を含む、前記潤滑油添加剤濃縮物。
【請求項２】
分散剤(i)が、下記式(1)に従った1.3〜2.2の官能価(F)を持つ、請求項1に記載の潤滑油添加剤濃縮物：
F = (SAP x Mn)/((1122 x A.I.) - (SAP x MW))        (1)
（式中、SAPは鹸化価(即ち、ASTM D94に従って決定される、1gの該琥珀酸-含有反応生成物中の酸基の完全な中和において消費されるKOHのミリグラム数)であり；Mnは出発オレフィンポリマー(ポリブテン)の数平均分子量であり；A.I.は該琥珀酸-含有反応生成物に係る有効成分の百分率であり(残部は未反応のポリブテンおよび希釈剤である)；またMWはそのジカルボン酸-生成部分の分子量(マレイン酸無水物については98)である。）。
【請求項３】
分散剤(i)が、1.2〜3.0の分子量分布(MWD)を持つポリブテンから誘導される、請求項1又は2に記載の潤滑油添加剤濃縮物。
【請求項４】
過塩基化マグネシウムコロイド状洗浄剤(ii)が、(a) スルホネート；(b) フェネート；および(c) ヒドロキシベンゾエート界面活性剤から選択される1種またはそれ以上の界面活性剤から誘導される、請求項1, 2又は3に記載の潤滑油添加剤濃縮物。
【請求項５】
過塩基化マグネシウムコロイド状洗浄剤(ii)が、2種またはこれを超える異なる界面活性剤から誘導される、請求項4に記載の潤滑油添加剤濃縮物。
【請求項６】
マグネシウムおよびカルシウム洗浄剤の混合物を含む、請求項1〜5のいずれか１項に記載の潤滑油添加剤濃縮物。
【請求項７】
有機摩擦調整剤(iii)と、(iii)以外の有機摩擦調整剤との混合物を含む、請求項1〜6のいずれか１項に記載の潤滑油添加剤濃縮物。
【請求項８】
前記濃縮物中の有機摩擦調整剤の全濃度が、4質量％〜10質量％である、請求項1〜7のいずれか１項に記載の潤滑油添加剤濃縮物。
【請求項９】
更に、150〜1,200ダルトンという数平均分子量(Mn)を持つヒドロカルビルまたはヒドロカルベニル基から誘導される、低分子量ヒドロカルビルまたはヒドロカルベニル置換スクシンイミドまたは琥珀酸無水物相溶性助剤をも含む、請求項1〜8のいずれか１項に記載の潤滑油添加剤濃縮物。
【請求項１０】
0.25質量％〜8質量％の前記相溶性助剤を含む、請求項9記載の潤滑油添加剤濃縮物。
【請求項１１】
前記相溶性助剤が、オクタデセニル琥珀酸無水物(ODSA)、またはポリイソブテニル琥珀酸無水物(PIBSA)、またはこれらの混合物である、請求項9又は10に記載の潤滑油添加剤濃縮物。
【請求項１２】
更に、亜鉛-リン磨耗防止剤、モリブデン-含有磨耗防止剤および/または摩擦調整剤、酸化防止剤、粘度調整剤および流動点降下剤からなる群から選択される、少なくとも1種の追加の添加剤をも含む、請求項1〜11のいずれか１項に記載の潤滑油添加剤濃縮物。
【請求項１３】
潤滑油添加剤濃縮物に保存安定性を与えるための、ASTM D2896で測定された活性物質ベースで300〜900mg KOH/gという全塩基価(TBN)を持つ過塩基化マグネシウムコロイド状洗浄剤(ii)の使用であって、
潤滑油添加剤濃縮物が(i) ポリアミンと、1,300〜2,500ダルトンの数平均分子量(Mn)および少なくとも50％の末端ビニリデン含有率を持つポリブテンおよびマレイン酸無水物から、エンマレイン酸処理工程を通して誘導されるポリブテニル琥珀酸無水物とのポリブテニルスクシンイミド反応生成物である分散剤；およびC14〜C24炭化水素のヒドロキシアルキルアルキルアミンの少なくとも1種、C13〜C24炭化水素のヒドロキシアルキルアルキルエーテルアミンの少なくとも1種、C13〜C24ヒドロカルビル置換基を持つトリエタノールアミン由来のアルキルエステルアミンの少なくとも1種、非塩基性脂肪酸アミドの少なくとも1種、及びこれらの混合物から選択される有機摩擦調整剤(iii)を含有し、該濃縮物における分散剤(i)および過塩基化マグネシウムコロイド状洗浄剤(ii)の総計質量％が、15〜50質量％であり；(i):(ii)の質量比が、1:1〜6:1であり；かつ該濃縮物が、2質量％〜10質量％の有機摩擦調整剤(iii)を含む、前記使用。
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2017071603.tif 000001
（式中、
Ｘは−Ｓ−または−Ｏ−であり、
（ｉ）Ｘが−Ｓ−であるとき、
Ｒ３ａはアルキル、ハロアルキル、ヒドロキシアルキルまたはアルキルオキシアルキルであり、
Ｒ２ａはハロゲン、アルキルオキシまたはハロアルキルオキシであり、かつ
Ｒ３ａがハロアルキルであるとき、Ｒ２ａはアルキルでもよく、
Ｒ２ｂはＨであり、
Ｒ２ａおよびＲ２ｂが、それらが結合している炭素原子と一緒になって置換されたシクロアルカンを形成してもよく、
Ｒ２ａおよびＲ２ｂが、それらが結合している炭素原子と一緒になって置換されたシクロアルカンを形成するとき、Ｒ３ａはＨでもよく、
（ｉｉ）Ｘが−Ｏ−であるとき、
Ｒ３ａはアルキルオキシおよびシクロアルキルから選択される一以上の基で置換されていてもよいハロアルキル、またはハロゲンから選択される一以上の基で置換されているシクロアルキルであり、
Ｒ２ａはＨ、ハロゲン、アルキル、アルキルオキシまたはハロアルキルオキシであり、
Ｒ２ｂはＨであり、
Ｒ２ａおよびＲ２ｂが、それらが結合している炭素原子と一緒になって置換されたシクロアルカンを形成してもよく、
Ｒ２ａおよびＲ２ｂが、それらが結合している炭素原子と一緒になって置換されたシクロアルカンを形成するとき、Ｒ３ａはＨまたはアルキルでもよく、
Ｒ３ｂはＨまたはアルキルであり、
【化２】
2017071603.tif 000002
であってもよく、
環Ａは置換若しくは非置換の芳香族炭素環、置換若しくは非置換の非芳香族炭素環、置換若しくは非置換の芳香族複素環または置換若しくは非置換の非芳香族複素環であり、
環Ｂは置換若しくは非置換の芳香族炭素環、置換若しくは非置換の非芳香族炭素環、置換若しくは非置換の芳香族複素環または置換若しくは非置換の非芳香族複素環であり、
Ｒ１は置換若しくは非置換のアルキル、置換若しくは非置換のアルケニル、置換若しくは非置換のアルキニルまたは置換若しくは非置換のシクロアルキルであり、
Ｒ５はハロゲンまたは置換若しくは非置換のアルキルであり、
ｎは０〜２の整数であり、
ただし、以下の化合物を除く。
（１）Ｘが−Ｏ−であり、Ｒ３ａがＣＨ２ＦまたはＣＦ３であり、Ｒ３ｂがＨであり、Ｒ２ａがＨであり、かつＲ２bがＨである化合物、
（２）Ｘが−Ｏ−であり、Ｒ３ａがＣＨＦ２であり、Ｒ３ｂがＨであり、Ｒ２ａがＯＭｅであり、かつＲ２bがＨである化合物、および、
（３）以下の化合物：
【化３】
2017071603.tif 000003
）
で示される化合物またはその製薬上許容される塩。
【請求項２】
式（Ｉ）においてＸが−Ｏ−である、請求項１記載の化合物またはその製薬上許容される塩。
【請求項３】
式（Ｉ）においてＲ３ａがＣＨ２Ｆ、ＣＨＦ２、ＣＦ３、ＣＨ（Ｆ）ＣＨ３またはＣＦ２ＣＨ３であり、Ｒ３ｂがＨまたはＣＨ３であり；Ｒ２ａがＨ、Ｆ、ＣＨ３、ＯＣＨ３またはＯＣＨ２ＣＦ３であり；Ｒ１がアルキルであり；
環Ａが
【化４】
2017071603.tif 000004
（式中、Ｒ４はＨまたはハロゲンであり、−Ｚ＝は−ＣＨ＝または−Ｎ＝である）
であり；
環Ｂが置換若しくは非置換のピリジン、置換若しくは非置換のピラジン、置換若しくは非置換のピリミジン、置換若しくは非置換のピリダジンまたは置換若しくは非置換のオキサゾールである、請求項１または２記載の化合物またはその製薬上許容される塩。
【請求項４】
Ｒ２ａがＦである、請求項１〜３のいずれかに記載の化合物またはその製薬上許容される塩。
【請求項５】
請求項１〜４のいずれかに記載の化合物またはその製薬上許容される塩、を含有する医薬組成物。
【手続補正書】
【提出日】令和1年5月29日(2019.5.29)
【手続補正１】
【補正対象書類名】特許請求の範囲
【補正対象項目名】全文
【補正方法】変更
【補正の内容】
【特許請求の範囲】
【請求項１】
第１主面を有する炭化珪素単結晶基板と、
前記第１主面上の炭化珪素層とを備え、
前記炭化珪素層は、前記炭化珪素単結晶基板と接する面と反対側の第２主面を含み、
前記第２主面は、｛０００１｝面がオフ方向に傾斜した面であり、
前記第２主面の最大径は、１００ｍｍ以上であり、
前記第２主面は、前記第２主面の外縁から３ｍｍ以内の外周領域と、前記外周領域に取り囲まれた中央領域とを有し、
前記中央領域には、前記オフ方向に対して垂直な直線に沿って並ぶ第１ハーフループの第１転位列があり、
前記第１ハーフループは、前記第２主面に露出する一対の貫通刃状転位を含み、
前記中央領域における前記第１転位列の面密度は、８本／ｃｍ２以下である、炭化珪素エピタキシャル基板。
【請求項２】
前記最大径は、１５０ｍｍ以上である、請求項１に記載の炭化珪素エピタキシャル基板。
【請求項３】
前記オフ方向は、＜１１−２０＞方向である、請求項１または請求項２に記載の炭化珪素エピタキシャル基板。
【請求項４】
前記中央領域には、前記オフ方向に対して傾斜する直線に沿って並ぶ第２ハーフループの第２転位列があり、
前記第２ハーフループは、前記第２主面に露出する一対の貫通刃状転位を含み、
前記中央領域おいて、前記第１転位列の面密度は、前記第２転位列の面密度よりも低い、請求項１〜請求項３のいずれか１項に記載の炭化珪素エピタキシャル基板。
【請求項５】
前記第２主面は、（０００１）面が４°以下傾斜した面である、請求項１〜請求項４のいずれか１項に記載の炭化珪素エピタキシャル基板。
【請求項６】
前記第２主面は、（０００−１）面が４°以下傾斜した面である、請求項１〜請求項４のいずれか１項に記載の炭化珪素エピタキシャル基板。
【請求項７】
第１主面を有する炭化珪素単結晶基板と、
前記第１主面上の炭化珪素層とを備え、
前記炭化珪素層は、前記炭化珪素単結晶基板と接する面と反対側の第２主面を含み、
前記第２主面は、（０００１）面が＜１１−２０＞方向に４°以下傾斜した面であり、
前記第２主面の最大径は、１５０ｍｍ以上であり、
前記第２主面は、前記第２主面の外縁から３ｍｍ以内の外周領域と、前記外周領域に取り囲まれた中央領域とを有し、
前記中央領域には、＜１１−２０＞方向に対して垂直な直線に沿って並ぶハーフループの転位列があり、
前記ハーフループは、前記第２主面に露出する一対の貫通刃状転位を含み、
前記中央領域における前記転位列の面密度は、８本／ｃｍ２以下である、炭化珪素エピタキシャル基板。
【請求項８】
請求項１〜請求項７のいずれか１項に記載の炭化珪素エピタキシャル基板を準備する工程と、
前記炭化珪素エピタキシャル基板を加工する工程とを備える、炭化珪素半導体装置の製造方法。
【手続補正書】
【提出日】令和1年7月25日(2019.7.25)
【手続補正１】
【補正対象書類名】特許請求の範囲
【補正対象項目名】全文
【補正方法】変更
【補正の内容】
【特許請求の範囲】
【請求項１】
ワイヤストックからブランクを剪断して切り出すためのインパクトカッターアセンブリであって、
静止状態のカッターブレードと、可動性のカッターブレードと、を含み、
前記可動性のカッターブレードは、前記両ブレードが整列されるワイヤ受け取り位置と、前記両ブレードの位置が互いにずれる供給位置との間の直線に沿って往復運動するキャリッジに取付けられ、
平坦なストライカ表面を有するストライカブロックを更に含み、
前記キャリッジは平坦なキャリッジ表面を有し、
前記キャリッジ表面は前記キャリッジの往復運動の直線と直角をなし、
前記キャリッジ表面に当接するときに、前記キャリッジ表面と平行に支持される前記ストライカ表面を、少なくとも毎秒１．５メートルの速度で、前記キャリッジ表面に向かって動かすための駆動装置と、
前記平坦なストライカ表面と前記平坦なキャリッジ表面との間の空きスペースに潤滑オイルを直接供給することによって、前記平坦なストライカ表面と前記平坦なキャリッジ表面との間のインパクトを薄膜状の前記潤滑オイルの存在によって弱めるための潤滑オイル回路と、を更に含むことを特徴とするインパクトカッターアセンブリ。
【請求項２】
前記駆動装置は、
前記キャリッジがスタート位置にあるとき、前記キャリッジとの間にスペースのある第１のポジションと、
スタート位置で最初に前記キャリッジと係合する第２のポジションと、
前記キャリッジが前記可動性のカッターブレード内のブランクがトランスファーのために配置される供給位置にあるときに、前記キャリッジと係合する第３のポジションと、を有し、
前記駆動装置が前記第２のポジションと前記第３のポジションとの間に位置するときに、前記キャリッジを前記駆動装置に向かって付勢するトーションスプリングを有することを特徴とする請求項１に記載のインパクトカッター。
【請求項３】
前記キャリッジに向かって付勢されている前記トーションスプリングの力を解除するために、前記キャリッジから遠い方の前記トーションスプリングの端部の角度位置を変更するように作動可能な動力アクチュエータを含むことを特徴とする請求項２に記載のインパクトカッター。
【請求項４】
軸線のまわりを回転駆動されるカム、枢軸回転する駆動レバー、及び前記駆動レバーに回転可能に取付けられて前記カムのプロファイルに応じて前記駆動レバーを枢軸回転させるカムフォロアを含み、
前記カムフォロア及び前記駆動レバーは回転可能であり、且つ前記カムの軸線に平行な各々の軸線の回りを枢軸回転可能であり、
前記ワイヤ受け取り位置と前記供給位置との間の直線に沿って移動可能なキャリッジと、
前記駆動レバーに担持されて前記カムの軸線に平行な前記ストライカブロックの軸線のまわりを前記駆動レバー上で枢軸回転するストライカブロックと、を更に含み、
前記ストライカブロックは、前記ストライカブロックブロックの軸線のまわりで前記駆動レバー上の停止面に向かって弾性的に付勢され、
前記ストライカブロックは、前記停止面に向かって位置し、
前記平坦なストライカ表面が最初に前記キャリッジと係合する前記駆動レバーの位置において、前記平坦なストライカ表面は、前記カッターキャリッジの動線に対して直角をなし、
前記ワイヤ受け取り位置と前記供給位置との間で前記キャリッジが平行移動する間、前記ストライカブロックの枢軸回転運動によって前記平坦なストライカ表面を前記キャリッジの動線に対して直角を維持可能にすることを特徴とする請求項１に記載のインパクトカッター。
【請求項５】
前記潤滑オイル回路は、前記平坦なストライカ表面における貫通孔を通じて、前記潤滑オイルを供給することを特徴とする請求項１に記載のインパクトカッター。
【請求項６】
前記キャリッジを、前記ストライカブロックに向かって付勢するトーションスプリングを含むことを特徴とする請求項５に記載のインパクトカッター。